(57)【要約】【課題】電圧降下の悪影響を受けることなく、複数の照明器具の調光を実行できる照明器具等を提供する。【解決手段】照明器具１３−ｍは、発光態様が変更され得る光源１３５と、光源１３５の発光態様を指示する制御信号を受信する受信部１３１と、受信部１３１によって受信された制御信号に基づいて、光源１３５をいかなる態様で発光させるかを決定する一方で、他の照明器具１３−ｍの発光態様が変更され得る他の光源１３５をいかなる態様で発光させるのかを指示する他の制御信号を生成する発光制御部１３２と、発光制御部１３２によって決定された発光態様で光源１３５を発光させる光源駆動部１３４と、発光制御部１３２によって生成された他の制御信号を送信する送信部１３３と、を備えている。【選択図】図２
2018097933.tif 000002
【特許請求の範囲】
【請求項１】
発光態様が変更され得る光源と、
前記光源の発光態様を指示する制御信号を受信する受信部と、
前記受信部によって受信された前記制御信号に基づいて、前記光源をいかなる態様で発光させるかを決定するとともに、他の照明器具の発光態様が変更され得る他の光源をいかなる態様で発光させるのかを指示する他の制御信号を生成する発光制御部と、
前記発光制御部によって決定された発光態様で前記光源を発光させる光源駆動部と、
前記発光制御部によって生成された前記他の制御信号を送信する送信部と、を含む、照明器具。
【請求項２】
前記発光制御部は、
前記制御信号が基準明るさよりも明るい指定明るさで前記光源を発光させることを指示している場合には、前記光源駆動部に前記指定明るさで前記光源を発光させる一方で、前記指定明るさよりも差分値だけ暗い明るさで前記他の光源を発光させることを指示する前記他の制御信号を生成し、
前記制御信号が前記基準明るさ以下の明るさで前記光源を発光させることを指示している場合には、前記光源駆動部に前記基準明るさで前記光源を発光させる一方で、前記基準明るさで前記他の光源を発光させることを指示する前記他の制御信号を生成する、請求項１に記載の照明器具。
【請求項３】
前記発光制御部は、
前記制御信号が基準明るさよりも暗い指定明るさで前記光源を発光させることを指示している場合には、前記光源駆動部に前記指定明るさで前記光源を発光させる一方で、前記指定明るさよりも差分値だけ明るい明るさで前記他の光源を発光させることを指示する前記他の制御信号を生成し、
前記制御信号が前記基準明るさ以上の明るさで前記光源を発光させることを指示している場合には、前記光源駆動部に前記基準明るさで前記光源を発光させる一方で、前記基準明るさで前記他の光源を発光させることを指示する前記他の制御信号を生成する、請求項１に記載の照明器具。
【請求項４】
前記制御信号および前記他の制御信号は、それぞれ、前記指定明るさとデューティ比とを対応させたＰＷＭ信号または前記指定明るさとＤＣ電圧とを対応させたアナログ信号である、請求項２または３に記載の照明器具。
【請求項５】
前記発光制御部は、
前記光源の累積点灯時間を計時するタイマと、
前記タイマが計時する時間と前記タイマが計時する時間に対応する補正率とを記憶するデータテーブルと、を含み、
前記累積点灯時間に応じて、前記制御信号によって特定される前記光源の発光態様を前記補正率によって補正した発光態様で前記光源駆動部に前記光源を発光させる、請求項１〜４のいずれかに記載の照明器具。
【請求項６】
明るさを検出する明るさセンサと、
直列に接続された複数の照明器具と、
前記明るさセンサによって検出された明るさの情報を受信し、前記明るさの情報に基づいて前記複数の照明器具のうちのいずれか１つの照明器具へ前記いずれか１つの照明器具の光源の発光態様を指示する制御信号を送信する照明制御装置と、を備え、
前記複数の照明器具のそれぞれは、
発光態様が変更され得る光源と、
前記光源の発光態様を指示する制御信号を受信する受信部と、
前記受信部によって受信された前記制御信号に基づいて、前記光源をいかなる態様で発光させるかを決定するとともに、他の照明器具の発光態様が変更され得る他の光源をいかなる態様で発光させるのかを指示する他の制御信号を生成する発光制御部と、
前記発光制御部によって決定された発光態様で前記光源を発光させる光源駆動部と、
前記発光制御部によって生成された前記他の制御信号を送信する送信部と、を含む、照明システム。
【請求項７】
前記発光制御部は、
前記制御信号が基準明るさよりも明るい指定明るさで前記光源を発光させることを指示している場合には、前記光源駆動部に前記指定明るさで前記光源を発光させる一方で、前記指定明るさよりも差分値だけ暗い明るさで前記他の光源を発光させることを指示する前記他の制御信号を生成し、
前記制御信号が前記基準明るさ以下の明るさで前記光源を発光させることを指示している場合には、前記光源駆動部に前記基準明るさで前記光源を発光させる一方で、前記基準明るさで前記他の光源を発光させることを指示する前記他の制御信号を生成するか、または、
前記制御信号が基準明るさよりも暗い指定明るさで前記光源を発光させることを指示している場合には、前記光源駆動部に前記指定明るさで前記光源を発光させる一方で、前記指定明るさよりも差分値だけ明るい明るさで前記他の光源を発光させることを指示する前記他の制御信号を生成し、
前記制御信号が前記基準明るさ以上の明るさで前記光源を発光させることを指示している場合には、前記光源駆動部に前記基準明るさで前記光源を発光させる一方で、前記基準明るさで前記他の光源を発光させることを指示する前記他の制御信号を生成し、
前記照明制御装置は、前記基準明るさおよび前記差分値のそれぞれを設定するための設定信号を前記いずれか１つの照明器具へ送信し、
前記複数の照明器具のそれぞれの前記発光制御部は、
前記設定信号によって特定された前記基準明るさおよび前記差分値を記憶する一方で、
前記送信部に前記複数の照明器具のうちの１つ下流の照明器具へ前記設定信号を送信させる、請求項６に記載の照明システム。
【請求項８】
前記照明制御装置は、前記指定明るさおよび前記基準明るさのそれぞれを示す制御信号を生成するための第１のデータテーブルと、前記差分値を示す制御信号を生成するための第２のデータテーブルとを備えた、請求項７に記載の照明システム。
【請求項９】
前記照明制御装置は、
前記光源の累積点灯時間を計時するタイマと、
前記タイマが計時する時間と前記タイマが計時する時間に対応する補正率とを記憶する他のデータテーブルと、を含み、
前記累積点灯時間に応じて、前記補正率によって補正された発光態様を特定する前記制御信号を前記いずれか１つの照明器具に送信する、請求項６〜８のいずれかに記載の照明システム。
【発明の詳細な説明】
【技術分野】
【０００１】
本発明は、ある位置において測定された明るさに基づいて制御される照明器具およびそれを備えた照明システムに関する。
【背景技術】
【０００２】
従来から、複数の照明器具を制御する照明システムが知られている。この照明システムには、たとえば、トンネル照明システムがある。トンネル照明システムは、トンネルの入口の近傍の輝度を測定する明るさセンサの測定値に応じて、トンネル内の複数の照明器具の調光レベルを制御する（特許文献１参照）。
【先行技術文献】
【特許文献】
【０００３】
【特許文献１】特開２０１４−０２２０９０号公報
【発明の概要】
【発明が解決しようとする課題】
【０００４】
従来の照明システムにおいては、複数の照明器具が１台の照明制御装置にバス配線によって接続されているものがある。この場合、照明器具の明るさを特定するＰＷＭ信号などのアナログ信号が照明制御装置からバス配線を経由して複数の照明器具のそれぞれに送信される。この場合、信号の伝達経路の最下流の照明器具に到達するアナログ信号は、電圧降下による悪影響が大きい。また、ＰＷＭ信号などのアナログ信号をバス配線で送信する場合には、照明器具ごとに異なる調光レベルの信号を送信することはできない。
【０００５】
また、信号電送のために商用電力を用いた照明システムでは、複数の照明器具のそれぞれを設置するときにそれぞれの照明器具ごとに異なる調光レベルを設定する必要がある。そのため、照明器具ごとの調光レベルをきめ細かく設定することができない。
【０００６】
さらに、ＤＭＸ５１２、ＤＡＬＩや電力線搬送の電力線を利用した照明システムは、照明器具ごとに調光レベルを特定可能な信号を送信することは可能である。しかしながら、この場合、照明器具ごとにアドレスを設定する必要があるため、照明器具内の電子回路が複雑になる。
【０００７】
本発明は、このような従来技術の有する課題に鑑みてなされたものである。そして、本発明の目的は、バス配線を使用することなく、照明器具ごとの発光態様をきめ細かく設定でき、かつ、照明器具ごとのアドレス設定を必要としない照明器具を提供することである。また、本発明の他の目的は、そのような照明器具を備えた照明システムを提供することである。
【課題を解決するための手段】
【０００８】
上記課題を解決するために、本発明の第１の態様に係る照明器具は、発光態様が変更され得る光源と、前記光源の発光態様を指示する制御信号を受信する受信部と、前記受信部によって受信された前記制御信号に基づいて、前記光源をいかなる態様で発光させるかを決定するとともに、他の照明器具の発光態様が変更され得る他の光源をいかなる態様で発光させるのかを指示する他の制御信号を生成する発光制御部と、前記発光制御部によって決定された発光態様で前記光源を発光させる光源駆動部と、前記発光制御部によって生成された前記他の制御信号を送信する送信部と、を含む。
【０００９】
本発明の第２の態様に係る照明システムは、明るさを検出する明るさセンサと、直列に接続された複数の照明器具と、前記明るさセンサによって検出された明るさの情報を受信し、前記明るさの情報に基づいて前記複数の照明器具のうちのいずれか１つの照明器具へ前記いずれか１つの照明器具の光源の発光態様を指示する制御信号を送信する照明制御装置と、を備え、前記複数の照明器具のそれぞれは、発光態様が変更され得る光源と、前記光源の発光態様を指示する制御信号を受信する受信部と、前記受信部によって受信された前記制御信号に基づいて、前記光源をいかなる態様で発光させるかを決定するとともに、他の照明器具の発光態様が変更され得る他の光源をいかなる態様で発光させるのかを指示する他の制御信号を生成する発光制御部と、前記発光制御部によって決定された発光態様で前記光源を発光させる光源駆動部と、前記発光制御部によって生成された前記他の制御信号を送信する送信部と、を含む。
【発明の効果】
【００１０】
本発明の照明装置および照明システムによれば、バス配線を使用することなく、照明器具ごとの発光態様をきめ細かく設定でき、かつ、照明器具ごとのアドレス設定を必要としない。
【図面の簡単な説明】
【００１１】
【図１】本発明の実施の形態の照明システムの全体構成を説明するための図である。
【図２】本発明の実施の形態１の照明システムにおける照明器具の構成を説明するための図である。
【図３】本発明の実施の形態の照明システムにおける照明器具の信号伝達のための電子回路を示す図である。
【図４】本発明の実施の形態１の照明システムにおける照明器具のデータテーブルに記憶された指定明るさ（指定調光レベル）とデューティ比との関係を示すグラフである。
【図５】本発明の実施の形態１の照明システムにおける照明器具において実行される点灯制御処理を説明するためのフローチャートである。
【図６】本発明の実施の形態１の照明システムにおける照明器具のトンネルの入口からの距離と明るさとの関係を示すグラフである。
【図７】本発明の実施の形態２の照明システムにおける照明器具の構成を説明するための図である。
【図８】本発明の実施の形態２の照明システムにおける照明器具のデータテーブルに記憶された差分値（明るさの変化量）とデューティ比との関係を示すグラフである。
【図９】本発明の実施の形態２の照明システムにおいて照明制御装置から照明器具へ送信される設定信号の一態様を説明するための図である。
【図１０】本発明の実施の形態３の照明システムにおける照明器具において実行される点灯制御処理を説明するためのフローチャートである。
【図１１】本発明の実施の形態３の照明システムにおける照明器具のトンネルの入口からの距離と明るさとの関係を示すグラフである。
【発明を実施するための形態】
【００１２】
以下、図面を参照しながら、実施の形態の照明器具および照明システムを説明する。各図面においては、同一の参照符号が同一の部分に付されている。同一の参照符号が付された同一の部分の説明は、特に必要がなければ、各図の説明ごとに繰り返されない。
【００１３】
（実施の形態１）
図１を用いて、実施の形態照明システムの全体構成を説明する。
【００１４】
図１に示されるように、本実施の形態の照明システム１０は、トンネル内に設定されている。照明システム１０は、トンネルの入口から所定の距離までの位置に設置された入口照明１３Ｘと、入口照明１３Ｘの最もトンネルの奥側の位置からトンネルの中央部にかけて設置された基本照明１３Ｙとに分類される。
【００１５】
入口照明１３Ｘは、トンネルの入口の近傍に設けられたいくつかの照明器具からなり、ブラックアウト現象を防止するための照明である。基本照明１３Ｙは、トンネルの中央部に設けられたいくつかの照明器具からなり、ブラックアウト現象とは無関係にトンネル内の自動車の走行に必要な明るさを提供する照明である。
【００１６】
したがって、前述のトンネルの入口から入口照明１３Ｘと基本照明１３Ｙとの間の領域までの距離は、トンネルの入口の近傍の明るさによって変更する。言い換えると、トンネルの入口から数えた入口照明１３Ｘの数およびトンネルの中央部から数えた基本照明１３Ｙの数は、トンネルの入口の近傍の明るさによって変更する。トンネルの入口の近傍がより明るくなれば、入口照明１３Ｘの数は増加し、基本照明１３Ｙの数は減少する。一方、トンネルの入口の近傍がより暗くなれば、入口照明１３Ｘの数は減少し、基本照明１３Ｙの数は増加する。これは、入口照明１３Ｘの数と基本照明１３Ｙの数との合計値は、常に一定であるからである。
【００１７】
トンネルの照明システム１０の場合は、トンネルの両端の入口のそれぞれからトンネルの中央部までの間に直線状に１つの照明システム１０が配置される。したがって、トンネル内には、通常、２つの照明システム１０が設置される。
【００１８】
実施の形態の照明システム１０は、明るさセンサ１１、複数の照明器具、および照明制御装置１２を備えている。具体的には、複数の照明器具は、照明器具１３−１、照明器具１３−２・・・照明器具１３−ｍ・・・照明器具１３−（ｎ−１）、照明器具１３−ｎからなっており、信号の伝達経路の上流から下流まで、この順に直列に接続されている。以下、本実施の形態の複数の照明器具のそれぞれは、照明器具１３−ｍとして記載される。ここで、ｍは、直列に接続された複数の照明器具のうちの最も上流にある照明器具から数えた当該照明器具の順番であり、１〜ｎまでの自然数で表現される。ｎは、ｍの最大値であり、直列に接続された複数の照明器具の最も下流の照明器具の順番である。
【００１９】
明るさセンサ１１は、周囲の明るさを検出する。本実施の形態においては、明るさセンサ１１は、トンネルの入口の近傍に設置された輝度計である。明るさセンサ１１は、輝度計の代わりに、光度計、照度、または全光束計等の明るさを測定できるセンサであれば、いかなるものであってもよい。本実施の形態においては、明るさセンサ１１は、トンネル入口の近傍で輝度を計測して、照明制御装置１２へ輝度情報を送信する輝度計である。本実施の形態においては、輝度計は、フォトダイオード等で構成されている。ただし、輝度計は、カメラと同様に、ＣＣＤ(Charge Coupled Device)またはＣＭＯＳ(Complementary Metal Oxide Semiconductor)センサによって構成されてもよい。明るさセンサ１１は、照明制御装置１２へアナログ信号およびシリアル信号（デジタル信号）のいずれの形態で制御信号を送信してもよい。
【００２０】
照明制御装置１２は、明るさセンサ１１によって検出された明るさの情報を受信する。照明制御装置１２は、明るさの情報に基づいて複数の照明器具１３−ｍのうちのいずれか１つの照明器具１３−ｍへ、いずれか１つの照明器具１３−ｍの光源１３５の発光態様を指示する制御信号を送信する。本実施の形態においては、照明制御装置１２は、トンネルの入口に最も近い位置に配置されている照明器具１３−１へ光源１３５の発光の明るさを指示する調光信号を送信する。なお、照明制御装置１２は、一般的に１台目の照明器具１３−１との距離が２００ｍ以内に設置されている。
【００２１】
図２を用いて、本実施の形態の照明システムにおける照明器具１３−ｍの構成を説明する。
【００２２】
図２に示されるように、照明器具１３−ｍは、それぞれ、光源１３５、受信部１３１、発光制御部１３２、光源駆動部１３４、送信部１３３、および設定部１３６を含んでいる。
【００２３】
光源１３５は、その発光態様が独立して変更され得る。光源１３５は、ＬＥＤ（Light Emitting Diode）または蛍光灯等の連続的に明るさが変更され得るものである。ただし、光源１３５は、調光に加えて、調色を行うことができるものであってもよい。受信部１３１は、光源１３５の発光態様を指示する制御信号を受信する。発光制御部１３２は、受信部１３１によって受信された制御信号に基づいて、光源１３５をいかなる態様で発光させるかを決定する。
【００２４】
また、発光制御部１３２は、１つ下流の他の照明器具１３−（ｍ＋１）の発光態様が変更され得る他の光源１３５をいかなる態様で発光させるのかを指示する他の制御信号を生成する。この制御信号に含まれる指定明るさＬｘ（調光レベル）は、照明制御装置１２内に記憶されたデータテーブルＤＴ１および各照明器具１３−ｍの発光制御部１３２に記憶されたデータテーブルＤＴ１に基づいて、ＰＷＭ信号のデューティ比へ変換される。なお、照明制御装置１２内に記憶されたデータテーブルＤＴ１と各照明器具１３−ｍの発光制御部１３２に記憶されたデータテーブルＤＴ１とは、同一の情報を有するデータテーブルである。データテーブルＤＴ１は、指定明るさＬｘ（調光レベル）に対応するＰＷＭ信号のデューティ比を記憶している。したがって、照明器具１３−ｍの発光制御部１３２は、その送信部１３３に指定明るさＬｘ（調光レベル）に対応するデューティ比のＰＷＭ信号からなる制御信号を１つ下流の他の照明器具１３−（ｍ＋１）へ送信させる。
【００２５】
光源駆動部１３４は、発光制御部１３２によって決定された発光態様で光源１３５を発光させる。送信部１３３は、発光制御部１３２によって生成された他の制御信号を送信する。送信部１３３は、パルス波形をトランジスタ等で増幅して送信する。
【００２６】
設定部１３６は、基本照明１３Ｙの一定の調光レベルである基準明るさＬ１と、互いに隣接する照明器具１３−ｍと照明器具１３−（ｍ＋１）との間の調光レベルの変化幅である差分値ΔＬとを設定するためのスイッチである。このスイッチは、ディップスイッチ等で構成されている。ただし、この照明器具１３−ｍ内の受信部１３１と設定用リモートコントローラの送信部１３３とによってスイッチが構成されていてもよい。
【００２７】
本実施の形態においては、個々の照明器具１３−ｍの設定部１３６をユーザが操作することによって、基準明るさＬ１および差分値ΔＬが設定される。具体的には、複数の照明器具１３−ｍのそれぞれの発光制御部１３２は、設定部１３６の操作によって生成された設定信号によって特定された基準明るさＬ１および差分値ΔＬを記憶部Ｍに記憶する。
【００２８】
本実施の形態のように複数の照明器具１３−ｍのそれぞれが設定部１３６を有している場合、設定部１３６の操作により、照明器具１３−ｍごとに基準明るさＬ１および差分値ΔＬが設定される。本実施の形態においては、基準明るさＬ１および差分値ΔＬは、いずれの照明器具１３−ｍにおいても同一の値であるものとするが、照明器具１３−ｍごとに異なっていてもよい。
【００２９】
この照明器具１３−ｍは、制御信号に基づいて、自身の光源１３５をいかなる態様で発光させるのかを決定することに加えて、他の照明器具１３−ｍの他の光源１３５をいかなる態様で発光させるのかを指示する。
【００３０】
制御信号に含まれる調光信号は、バス配線による伝送方式でなくバケツリレーによる伝送方式によって伝送される。そのため、調光信号の伝送距離は、照明器具１３−ｍ同士の間の距離である。したがって、信号の伝送経路における調光信号の劣化は少ない。
【００３１】
また、本実施の形態の照明システム１０によれば、複数の照明器具１３−ｍのそれぞれのアドレスおよび調光レベルの設定をする必要がない。そのため、照明器具１３−ｍ内の信号送信のための電子回路を複雑化させることなく、直列に接続された複数の照明器具１３−ｍのそれぞれの発光態様を個別に制御することができる。
【００３２】
さらに、トンネル入口からの距離とトンネル入口付近の輝度とに応じた照明器具１３−ｍの調光制御を行うことが可能である。特に、故障等の何らかの原因でトンネル内の照明器具１３−ｍのいずれかを交換しても、交換した照明器具１３−ｍの調光レベルを制御することができる。
【００３３】
本実施の形態においては、制御信号および他の制御信号は、それぞれ、指定明るさＬｘ（調光レベル）とデューティ比とを対応させたＰＷＭ（Pulse Width Modulation）信号である。ただし、制御信号および他の制御信号は、指定明るさＬｘ（調光レベル）とＤＣ電圧（たとえば、１Ｖ〜１０Ｖ）とを対応させたアナログ信号であってもよい。したがって、複雑な電子回路を必要とすることなく、従来から用いられている制御信号を使用することにより、複数の照明器具１３−ｍのそれぞれの調光を個別に行うことができる。なお、制御信号および他の制御信号は、それぞれ、アドレス情報を含まない信号であっても、また、アドレス情報を含んでいても、受信部１３１がそのアドレス情報を無視するデジタル信号（シリアル信号）であってもよい。
【００３４】
本実施の形態の発光制御部１３２は、光源１３５の累積点灯時間を計時するタイマＴと、タイマＴが計時する時間とタイマＴが計時する時間に対応する補正率Ｘとを記憶する他のデータテーブルＤＴＡと、を含んでいる。発光制御部１３２は、累積点灯時間に応じて、制御信号によって特定される光源１３５の発光態様を補正率Ｘによって補正した発光態様で光源駆動部１３４に光源１３５を発光させる。
【００３５】
本実施の形態の照明システム１０によれば、補正率Ｘを用いるため、複数の照明器具１３−ｍのそれぞれの経年劣化に起因した出力の低下による悪影響を抑制することができる。また、照明器具１３−ｍごとに経年劣化による出力の低下を補正するため、故障等により照明器具１３−ｍを取り替えた場合においても、照明器具１３−ｍの劣化の度合を正しく認識して、その劣化の度合に応じた補正を行うことができる。
【００３６】
図３は、実施の形態の照明システムにおける照明器具の信号伝達のための電子回路を示す図である。図３に示される電子回路は、周知であるため、その詳細説明は省略される。図３に示されるように、たとえば、制御信号に含まれる調光信号が、ＰＷＭ信号の場合には、ダイオードブリッジで全波整流された後、フォトトランジスタで絶縁され、その２次側回路で直流電圧に積分される。その直流電圧が照明制御装置１２に搭載されたマイコンのＡＤ変換端子に入力され、デジタル値に変換される。この回路を用いることにより、アナログ信号がある照明器具１３−ｍから他の照明器具１３−（ｍ＋１）へ伝達される。
【００３７】
図４を用いて、本実施の形態の照明システムにおける照明器具のデータテーブルに記憶された指定明るさＬｘ（調光レベル）とデューティ比との関係を説明する。
【００３８】
図４に示されるように、本実施の形態においては、制御信号に含まれる調光信号としてＰＷＭ（Pulse Width Modulation）信号を用いる。図４は、制御信号に含まれる調光信号について、指定明るさＬｘ（調光レベル）とデューティ比とを対応させたＰＷＭ信号をグラフ化した図である。指定明るさＬｘ（ｘは、０〜１までの数：以下、括弧書き内の記載は省略）
【００３９】
ここでは、複数の照明器具１３−ｍがトンネル内に設定されるときに、照明器具１３−ｍに設けられた設定部１３６を操作することによって、基本照明１３Ｙの調光レベルである基準明るさＬ１と調光レベルの変化幅である差分値ΔＬとが設定される。たとえば、差分値ΔＬ＝５％であり、基準明るさＬ１＝７０％である場合が想定される。
【００４０】
具体的には、まず、照明制御装置１２が明るさセンサ１１としての輝度計で検出されたトンネルの入口付近の輝度の情報を取得する。それにより、照明制御装置１２は、その輝度の情報に基づいて、トンネルの入口から１台目の照明器具１３−１へ指定明るさＬ０に対応するデューティ比のＰＷＭ信号を制御信号として送信する。たとえば、明るさセンサ１１によって検出された指定明るさ値Ｌ０＝９０％の場合、デューティ比＝１４％が想定される。
【００４１】
照明器具１３−１は、照明制御装置１２から受信した制御信号に含まれる調光信号にしたがって、指定明るさＬ０で点灯する。また、トンネルの入口から２台目の照明器具１３−２は、差分値ΔＬだけ暗い明るさ（Ｌ０−ΔＬ）に対応した調光信号を制御信号に含めて送信する。たとえば、受信した指定明るさＬｘが８５％であり、デューティ比が１８．５％である。
【００４２】
受信した制御信号に含まれる調光信号に対応した指定明るさＬｘ＝Ｌ０−（ｍ−１）×ΔＬが、予め設定された基本照明１３Ｙの基準明るさＬ１より高い場合がある。この場合には、照明器具１３−ｍは、指定明るさＬｘで点灯し、かつ、基準明るさＬ１を示す調光信号を含む制御信号を、１つ下流の照明器具１３−（ｍ＋１）へ送信する。一方、照明器具１３−ｍは、受信した指定明るさＬｘに対応した指定明るさＬｘが、基準明るさＬ１以下である場合には、基準明るさＬ１で点灯し、かつ、基準明るさＬ１のＰＷＭ信号を含む制御信号を、１つ下流の照明器具１３−（ｍ＋１）へ送信する。
【００４３】
本実施の形態においては、たとえば、照明器具１３−５の調光レベルによって特定される指定明るさＬｘが基準明るさＬ１以下となるものとする。そのため、照明器具１３−５は、照明器具１３−６へ受信した指定明るさＬｘと同じデューティ比＝３２％のＰＷＭ信号を含む制御信号を送信する。
【００４４】
上記の調光レベルとデューティ比との関係をまとめると次のようになる。
照明器具１３−１の指定明るさＬｘ：９０％（デューティ比：１４％）
照明器具１３−２の指定明るさＬｘ：８５％（デューティ比：１８．５％）
照明器具１３−３の指定明るさＬｘ：８０％（デューティ比：２３％）
照明器具１３−４の指定明るさＬｘ：７５％（デューティ比：２７．５％）
照明器具１３−５の指定明るさＬｘ：７０％（デューティ比：３２％）
照明器具１３−７よりも下流の照明器具１３−ｍも、上記と同様の動作を実行する。上記のように、１台目の照明器具１３−１の指定明るさＬ０に応じて入口照明１３Ｘと基本照明１３Ｙの間の領域の位置が変動する。
【００４５】
なお、高速道路のトンネルにおいて、ブラックアウト現象防止を目的として照明システム１０が使用される場合、トンネル入口から徐々に指定明るさ（調光レベル）Ｌｘを下げるため、指定明るさＬｘ−差分値ΔＬの差分値ΔＬは正の値である。
【００４６】
本実施の形態によれば、商用電源を用いた信号伝達ではないため、照明器具のトンネルへの設置時に照明器具ごとに異なる設定を行う必要がない。また、本実施の形態によれば、複数の照明器具１３−ｍのそれぞれの調光レベルを段階的にではなく、連続的に制御することができる。さらに、商用電源のような高い電圧を用いる必要がないため、信号線同士の必要な絶縁距離を小さくすることができることにより、照明器具の回路基板のサイズを小さくすることができる。
【００４７】
本実施の形態によれば、ＤＭＸ５１２、ＤＡＬＩ、または電力線搬送を用いたシステムではないため、照明器具毎にアドレスを設定する必要がないため、信号送信のための電子回路を簡略化することができる。
【００４８】
図５を用いて、本実施の形態の照明システムにおける照明器具において実行される点灯制御処理を説明する。
【００４９】
ステップＳ１において、受信部１３１が制御信号を受信することによって、制御信号に含まれる指定明るさＬｘを特定可能な情報を取得したか否かを判定する。指定明るさＬｘは、照明制御装置１２または１つ上流の照明器具１３−（ｍ−１）によって指示された当該照明器具１３−ｍの点灯時の明るさを示す情報である。
【００５０】
ステップＳ１において、受信部１３１が指定明るさＬｘを特定可能な制御信号を受信していなければ、ステップＳ１の処理が繰り返される。ステップＳ１において、受信部１３１が指定明るさＬｘを特定可能な制御信号を受信していれば、ステップＳ２において、発光制御部１３２は、指定明るさＬｘが基準明るさＬ１以下であるか否かを判定する。基準明るさＬ１の値は、事前に設定部１３６の操作者の操作によって記憶部Ｍに記憶されている。
【００５１】
ステップＳ２において、発光制御部１３２によって指定明るさＬｘが基準明るさＬ１よりも大きいと判定された場合には、ステップＳ３において、発光制御部１３２は、光源駆動部１３４に光源１３５を指定明るさＬｘで発光させる。その後、ステップＳ４において、発光制御部１３２は、指定明るさＬｘ＝指定明るさＬｘ−差分値ΔＬの情報を含む他の制御信号を、送信部１３３に１つ下流の他の照明器具１３−（ｍ＋１）へ送信させる。
【００５２】
差分値ΔＬの値は、事前に設定部１３６の操作者の操作によって記憶部Ｍに記憶されている。他の制御信号は、発光制御部１３２に記憶されているデータテーブルＤＴ１を参照して、指定明るさＬｘ−差分値ΔＬに対応するデューティ比を特定可能なＰＷＭ信号として生成される。
【００５３】
一方、ステップＳ２において、発光制御部１３２によって指定明るさＬｘが基準明るさＬ１以下であると判定された場合には、ステップＳ５において、発光制御部１３２は、光源駆動部１３４に光源１３５を基準明るさＬ１で発光させる。その後、ステップＳ６において、発光制御部１３２は、指定明るさＬｘが基準明るさＬ１と同一である他の制御信号を、送信部１３３に１つ下流の他の照明器具１３−（ｍ＋１）へ送信させる。
【００５４】
つまり、本実施の形態においては、発光制御部１３２は、制御信号が基準明るさＬ１よりも明るい指定明るさＬｘで光源１３５を発光させることを指示している場合には、光源駆動部１３４に指定明るさＬｘで光源１３５を発光させる。また、制御信号が基準明るさＬ１よりも明るい指定明るさＬｘで光源１３５を発光させることを指示している場合には、発光制御部１３２は、指定明るさＬｘよりも差分値ΔＬだけ暗い明るさで他の光源１３５を発光させることを指示する他の制御信号を生成する。発光制御部１３２は、送信部１３３に他の制御信号を１つ下流の照明器具１３−（ｍ＋１）へ送信させる。
【００５５】
また、発光制御部１３２は、制御信号が基準明るさＬ１以下の明るさで光源１３５を発光させることを指示している場合には、光源駆動部１３４に基準明るさＬ１で光源１３５を発光させる。また、発光制御部１３２は、制御信号が基準明るさＬ１以下の明るさで光源１３５を発光させることを指示している場合には、基準明るさＬ１で他の光源１３５を発光させることを指示する他の制御信号を生成する。発光制御部１３２は、送信部１３３に他の制御信号を１つ下流の照明器具１３−（ｍ＋１）へ送信させる。
【００５６】
図６を用いて、実施の形態の照明システムにおける照明器具１３−ｍのトンネルの入口からの距離と明るさとの関係を説明する。
【００５７】
図６に示されるように、本実施の形態の照明システムによれば、複数の照明器具１３−ｍの明るさを上流から下流に向かうにしたがって徐々に暗くしながら、下流側のいくつかの照明器具１３−ｍを基準明るさＬ１で発光させることができる。これによれば、複数の照明器具１３−ｍの明るさをトンネルの入口付近から中央部に向かって徐々に暗くしながら、トンネルの中央部の明るさをトンネルの入口付近の明るさよりも暗い一定の明るさに維持することができる。したがって、トンネルの入口付近のブラックアウト現象を防止しながら、トンネルの中央部の明るさを適切な状態にすることができる。
【００５８】
（実施の形態２）
図７〜図９を参照して、実施の形態２の照明器具および照明システムを説明する。本実施の形態の照明器具および照明システムは、実施の形態１の照明器具および照明システムとほぼ同様である。そのため、以下、本実施の形態の照明器具および照明システムと実施の形態１の照明器具および照明システムとの相違点を主に説明する。
【００５９】
図７を用いて、本実施の形態の照明システムにおける照明器具の構成を説明する。
【００６０】
照明制御装置１２は、指定明るさＬｘおよび基準明るさＬ１のそれぞれを示す制御信号を生成するための第１のデータテーブルＤＴ２と、差分値ΔＬを示す制御信号を生成するための第２のデータテーブルＤＴ３とを備えている。本実施の形態においては、設定部１３６は、照明器具１３−ｍではなく、照明制御装置１２に設けられている。
【００６１】
本実施の形態の照明システム１０においては、照明制御装置１２は、基準明るさＬ１とデューティ比との関係をデータテーブルＤＴ２（図４の縦軸の名称が基準明るさＬ１に置き換えられたデータテーブル）に記憶している。また、図８に示されるように、照明制御装置１２は、明るさの変化量としての差分値ΔＬとデューティ比との関係をデータテーブルＤＴ３に記憶している。
【００６２】
照明制御装置１２は、設定部１３６が操作者によって操作されると、設定信号を送信する。照明システム１０の使用開始当初に、複数の照明器具１３−ｍのそれぞれの発光制御部１３２が、照明制御装置１２の設定部１３６の操作者の操作によって生成された設定信号を、照明制御装置１２または１つ上流の照明器具１３−（ｍ−１）から受信する。それにより、発光制御部１３２は、設定信号によって特定された基準明るさＬ１および差分値ΔＬを記憶部Ｍに記憶する。また、照明器具１３−ｍの発光制御部１３２は、照明制御装置１２または１つ上流の照明器具１３−（ｍ−１）から受信した設定信号を送信部１３３に１つ下流の照明器具１３−（ｍ＋１）へ送信させる。
【００６３】
照明制御装置１２は、照明システム１０の電源投入時に、基準明るさＬ１および差分値ΔＬのそれぞれを設定するための設定信号を前述のいずれか１つの照明器具１３−ｍへ送信する。本実施の形態においては、複数の照明器具１３−ｍが直列に接続されているため、照明制御装置１２は、最も上流の照明器具１３−１へ設定信号を送信する。それにより、複数の照明器具１３−ｍのそれぞれは、設定信号によって特定された基準明るさＬ１および差分値ΔＬを記憶部Ｍに記憶するとともに、複数の照明器具１３−ｍのうちの１つ下流の照明器具１３−（ｍ＋１）へ設定信号を順次送信する。
【００６４】
上記の構成によれば、複数の照明器具１３−ｍのそれぞれの基準明るさＬ１および差分値ΔＬを、照明制御装置１２の一括操作により設定することができる。つまり、複数の照明器具１３−ｍのそれぞれごとに明るさＬ１および差分値ΔＬを設定する必要がない。
【００６５】
図９は、本実施の形態の照明システムにおいてある照明器具から他の照明器具へ送信される設定信号の一態様である。本実施の形態においては、設定信号は、区切り信号同士の間に送信される。
【００６６】
本実施の形態においては、調光信号を含む制御信号がデジタル信号である場合、電源投入時に限らず、常に基準明るさＬ１および差分値ΔＬ等のパラメータの設定を行うことが可能である。照明制御装置１２は、照明器具１３−ｍの調光をしているときは、指定明るさＬｘを示す調光信号を送信していることを示すコマンドと明るさＬｘを示すコマンドとを組合せた制御信号を送信すればよい。一方、照明制御装置１２は、基準明るさＬ１および差分値ΔＬ等のパラメータを設定しているときは、パラメータ設定をしていることを示すコマンドとそのパラメータとを組合せた制御信号を送信すればよい。
【００６７】
本実施の形態においては、指定明るさＬｘおよび基準明るさＬ１を設定するためのデータテーブルＤＴ２と差分値ΔＬを設定するためのデータテーブルＤＴ３とが別個に設けられている。そのため、差分値ΔＬの設定の自由度を増加させることができる。具体的には、差分値ΔＬの変化の割合を、指定明るさＬｘおよび基準明るさＬ１の変化の割合に比較して、小さく設定することができる。また、指定明るさＬｘおよび基準明るさＬ１が正負のいずれの値であるのかに関わらず、差分値ΔＬを正負のいずれにも設定することができる。
【００６８】
本実施の形態の照明システム１０においては、自動車用のトンネルではなく、歩行者用のトンネルにおいて、照明器具１３−ｍの消費電力を節約したい場合に、トンネルの入口からトンネルの中央部へ向かって徐々に明るさ（調光レベル）を増加させる。そのため、指定明るさＬｘ＋差分値ΔＬのうちの差分値ΔＬは正の値である。
【００６９】
本実施の形態では、照明器具１３−ｍではなく、照明制御装置１２が、光源１３５の累積点灯時間を計時するタイマＴと、タイマＴが計時する時間とタイマＴが計時する時間に対応する補正率Ｘとを記憶する他のデータテーブルＤＴＡと、を含んでいる。また、照明制御装置１２は、累積点灯時間に応じて、補正率Ｘによって補正された発光態様を特定する制御信号を最上流の照明器具１３−ｍに送信する。たとえば、初期光束補正の補正率が８０％で、かつ、指定明るさＬ０が９０％であるならば、照明器具１３−１へ、調光レベルが７２％の調光信号を含む制御信号を送信する。また、光源１３５や照明器具１３−ｍの反射板の汚れも考慮する場合には、初期光速補正制御の代わりに、初期照度補正制御が実行されてもよい。
【００７０】
上記の構成によれば、複数の照明器具１３−ｍの経年劣化に起因した出力低下を照明制御装置１２の一括操作により補正することができる。その結果、照明器具１３−ｍのそれぞれに常に適切な明るさで照明を実行させることができる。
【００７１】
（実施の形態３）
図１０および図１１を参照して、実施の形態３の照明器具および照明システムを説明する。本実施の形態の照明器具および照明システムは、実施の形態１および２の照明器具および照明システムとほぼ同様である。そのため、以下、本実施の形態の照明器具および照明システムと実施の形態１および２の照明器具および照明システムとの相違点を主に説明する。
【００７２】
図１０を用いて、本実施の形態の照明システムにおける照明器具１３−ｍにおいて実行される点灯制御処理を説明する。
【００７３】
ステップＳ１１において、受信部１３１が制御信号を受信することによって、制御信号に含まれる指定明るさＬｘを特定可能な情報を取得したか否かを判定する。指定明るさＬｘは、制御信号によって特定される照明器具１３−ｍの明るさである。
【００７４】
ステップＳ１１において、受信部１３１が指定明るさＬｘを特定可能な制御信号を受信していなければ、ステップＳ１１の処理が繰り返される。ステップＳ１１において、受信部１３１が指定明るさＬｘを特定可能な制御信号を受信していれば、ステップＳ１２において、発光制御部１３２は、指定明るさＬｘが基準明るさＬ１以上であるか否かを判定する。
【００７５】
ステップＳ１２において、発光制御部１３２によって指定明るさＬｘが基準明るさＬ１よりも小さいと判定された場合には、ステップＳ１３において、発光制御部１３２は、光源駆動部１３４に光源１３５を指定明るさＬｘで発光させる。その後、ステップＳ１４において、発光制御部１３２は、送信部１３３に指定明るさＬｘ＝指定明るさＬｘ＋差分値ΔＬを含む制御信号を１つ下流の照明器具１３−（ｍ＋１）へ送信させる。
【００７６】
一方、ステップＳ１２において、発光制御部１３２によって指定明るさＬｘが基準明るさＬ１以上であると判定された場合には、ステップＳ１５において、光源駆動部１３４は、光源駆動部１３４に光源１３５を基準明るさＬ１で発光させる。その後、ステップＳ１６において、発光制御部１３２は、送信部１３３に指定明るさＬｘが基準明るさＬ１と同一である制御信号を１つ下流の照明器具１３−（ｍ＋１）へ送信させる。
【００７７】
つまり、本実施の形態においては、発光制御部１３２は、制御信号が基準明るさＬ１よりも暗い指定明るさＬｘで光源１３５を発光させることを指示している場合には、光源駆動部１３４に指定明るさＬｘで光源１３５を発光させる。また、発光制御部１３２は、制御信号が基準明るさＬ１よりも暗い指定明るさＬｘで光源１３５を発光させることを指示している場合には、指定明るさＬｘよりも差分値ΔＬだけ明るい明るさで他の光源１３５を発光させることを指示する他の制御信号を生成する。発光制御部１３２は、送信部１３３に他の制御信号を１つ下流の照明器具１３−（ｍ＋１）へ送信させる。
【００７８】
一方、発光制御部１３２は、制御信号が基準明るさＬ１以上の明るさで光源１３５を発光させることを指示している場合には、光源駆動部１３４に基準明るさＬ１で光源１３５を発光させる。また、発光制御部１３２は、制御信号が基準明るさＬ１以上の明るさで光源１３５を発光させることを指示している場合には、基準明るさＬ１で他の光源１３５を発光させることを指示する他の制御信号を生成する。発光制御部１３２は、送信部１３３に他の制御信号を１つ下流の照明器具１３−（ｍ＋１）へ送信させる。
【００７９】
図１１を用いて、本実施の形態の照明システム１０における照明器具のトンネルの入口からの距離と明るさとの関係を説明する。
【００８０】
図１１に示されるように、本実施の形態の照明システム１０によれば、複数の照明器具１３−ｍの明るさを上流から下流に向かうにしたがって徐々に明るくしながら、下流側のいくつかの照明器具１３−ｍを基準明るさＬ１で発光させる。
【００８１】
これによれば、たとえば、複数の照明器具１３−ｍの明るさをトンネルの入口付近から中央部に向かって徐々に明るくしながら、トンネルの中央部の明るさをトンネルの入口付近の明るさよりも明るい一定の明るさに維持することができる。したがって、トンネルの内部の入口付近の空間がトンネルの外部からの進入光により必要な明るさを維持している場合に、トンネル付近のいくつかの照明器具１３−ｍの消費電力を低減することができる。
【００８２】
以下、実施の形態の照明器具および照明システムの特徴的構成およびそれにより得られる効果を説明する。
【００８３】
（１）  照明器具１３−ｍは、光源１３５、受信部１３１、発光制御部１３２、光源駆動部１３４、および送信部１３３を含んでいる。光源１３５は、発光態様が変更され得る。受信部１３１は、光源１３５の発光態様を指示する制御信号を受信する。発光制御部１３２は、受信部１３１によって受信された制御信号に基づいて、光源１３５をいかなる態様で発光させるかを決定する。また、発光制御部１３２は、他の照明器具１３−ｍの発光態様が変更され得る他の光源１３５をいかなる態様で発光させるのかを指示する他の制御信号を生成する。光源駆動部１３４は、発光制御部１３２によって決定された発光態様で光源１３５を発光させる。送信部１３３は、発光制御部１３２によって生成された他の制御信号を送信する。
【００８４】
この照明器具１３−ｍは、制御信号に基づいて、自身の光源１３５をいかなる態様で発光させるのかを決定することに加えて、他の照明器具１３−ｍの他の光源１３５をいかなる態様で発光させるのかを指示する。そのため、明るさセンサ１１、照明制御装置１２、および複数の照明器具１３−ｍをこの順番で通信可能に直列に接続すれば、電圧降下の悪影響を受けることなく、複数の照明器具１３−ｍの照明態様を制御することができる。また、上記の構成によれば、複数の照明器具１３−ｍのそれぞれのアドレスを設定する必要がないため、信号送信のための回路を複雑化させることなく、直列に接続された複数の照明器具１３−ｍのそれぞれの発光態様を個別に制御することができる。
【００８５】
（２）  発光制御部１３２は、制御信号が基準明るさＬ１よりも明るい指定明るさＬｘで光源１３５を発光させることを指示している場合には、光源駆動部１３４に指定明るさＬｘで光源１３５を発光させてもよい。この場合には、発光制御部１３２は、指定明るさＬｘよりも差分値ΔＬだけ暗い明るさで他の光源１３５を発光させることを指示する他の制御信号を生成してもよい。また、発光制御部１３２は、制御信号が基準明るさＬ１以下の明るさで光源１３５を発光させることを指示している場合には、光源駆動部１３４に基準明るさＬ１で光源１３５を発光させてもよい。この場合には、基準明るさＬ１で他の光源１３５を発光させることを指示する他の制御信号を生成してもよい。
【００８６】
上記の構成によれば、複数の照明器具１３−ｍの明るさを上流から下流に向かうにしたがって徐々に暗くしながら、下流側のいつくかの照明器具１３−ｍを基準明るさＬ１で発光させることができる。
【００８７】
（３）  発光制御部１３２は、制御信号が基準明るさＬ１よりも暗い指定明るさＬｘで光源１３５を発光させることを指示している場合には、光源駆動部１３４に指定明るさＬｘで光源１３５を発光させてもよい。この場合には、発光制御部１３２は、指定明るさＬｘよりも差分値ΔＬだけ明るい明るさで他の光源１３５を発光させることを指示する他の制御信号を生成してもよい。また、発光制御部１３２は、制御信号が基準明るさＬ１以上の明るさで光源１３５を発光させることを指示している場合には、光源駆動部１３４に基準明るさＬ１で光源１３５を発光させてもよい。この場合には、基準明るさＬ１で他の光源１３５を発光させることを指示する他の制御信号を生成してもよい。
【００８８】
上記の構成によれば、複数の照明器具１３−ｍの明るさを上流から下流に向かうにしたがって徐々に明るくしながら、下流側のいくつかの照明器具１３−ｍを基準明るさＬ１で発光させることができる。
【００８９】
（４）  制御信号および他の制御信号は、それぞれ、指定明るさＬｘとデューティ比とを対応させたＰＷＭ（Pulse Width Modulation）信号であってもよい。また、制御信号および他の制御信号は、それぞれ、指定明るさＬｘとＤＣ(Direct Current)電圧とを対応させたアナログ信号であってもよい。これによれば、複雑な回路を必要とすることなく、複数の照明器具１３−ｍの調光を行うことができる。
【００９０】
（５）  発光制御部１３２は、光源１３５の累積点灯時間を計時するタイマＴと、タイマＴが計時する時間とタイマＴが計時する時間に対応する補正率Ｘとを記憶するデータテーブルＤＴＡと、を含んでいてもよい。この場合、発光制御部１３２は、累積点灯時間に応じて、制御信号によって特定される光源１３５の発光態様を補正率Ｘによって補正した発光態様で光源駆動部１３４に光源１３５を発光させることが好ましい。
【００９１】
上記の構成によれば、複数の照明器具１３−ｍのそれぞれの経年劣化に起因した出力の低下による悪影響を抑制することができる。また、照明器具１３−ｍごとに経年劣化による出力の低下を補正するため、照明器具１３−ｍを取り替えた場合においても、照明器具１３−ｍの劣化を正しく認識して、その劣化を補正することができる。
【００９２】
（６）  照明システム１０は、明るさセンサ１１、複数の照明器具１３−ｍ、および照明制御装置１２を備えている。明るさセンサ１１は、明るさを検出する。複数の照明器具１３−ｍは、直列に接続されている。照明制御装置１２は、明るさセンサ１１によって検出された明るさの情報を受信する。照明制御装置１２は、明るさの情報に基づいて複数の照明器具１３−ｍのうちのいずれか１つの照明器具１３−ｍへいずれか１つの照明器具１３−ｍの光源１３５の発光態様を指示する制御信号を送信する。複数の照明器具１３−ｍのそれぞれは、前述の（１）に記載されたものである。
【００９３】
上記の構成によれば、電圧降下の悪影響を受けることなく、複数の照明器具１３−ｍの照明態様を制御することができる。
【００９４】
（７）  複数の照明器具１３−ｍのそれぞれは、前述の（２）または（３）に記載されたものである場合がある。この場合、照明制御装置１２は、基準明るさＬ１および差分値ΔＬのそれぞれを設定するための設定信号を前述のいずれか１つの照明器具１３−ｍへ送信してもよい。また、複数の照明器具１３−ｍのそれぞれの発光制御部１３２は、設定信号によって特定された基準明るさＬ１および差分値ΔＬを記憶してもよい。また、複数の照明器具１３−ｍのそれぞれの発光制御部１３２は、送信部１３３に複数の照明器具１３−ｍのうちの１つ下流の照明器具１３−（ｍ＋１）へ設定信号を送信させてもよい。
【００９５】
上記の構成によれば、複数の照明器具１３−ｍのそれぞれの基準明るさＬ１および差分値ΔＬを、照明制御装置１２の一括操作により設定することができる。なお、照明制御装置１２は、照明制御装置１２の電源投入の直後に、設定信号をいずれか１つの照明器具１３−ｍへ送信する。この設定信号は、区切り信号同士の間に送信される。
【００９６】
ただし、複数の照明器具１３−ｍのそれぞれが設定部１３６を有している場合、設定部１３６の操作により、個々の照明器具１３−ｍごとに基準明るさＬ１および差分値ΔＬが設定されてもよい。
【００９７】
（８）  照明制御装置１２は、指定明るさＬｘおよび基準明るさＬ１のそれぞれを示す制御信号を生成するための第１のデータテーブルＤＴ２と、差分値ΔＬを示す制御信号を生成するための第２のデータテーブルＤＴ３とを備えていてもよい。
【００９８】
上記の構成によれば、複数の照明器具１３−ｍのそれぞれの指定明るさＬｘおよび基準明るさＬ１を、照明制御装置１２を用いて、一括して設定することができる。また、指定明るさＬｘおよび基準明るさＬ１を設定するためのデータテーブルＤＴ２と差分値ΔＬを設定するためのデータテーブルＤＴ３とが別個に設けられているため、差分値ΔＬの設定の自由度を増加させることができる。たとえば、差分値ΔＬの変化の割合を、指定明るさＬｘおよび基準明るさＬ１の変化の割合に比較して、小さく設定することができる。また、たとえば、指定明るさＬｘおよび基準明るさＬ１が正負のいずれの値であるのかに関わらず、差分値ΔＬを正負のいずれにも設定することができる。
【００９９】
（９）  照明制御装置１２は、光源１３５の累積点灯時間を計時するタイマＴと、タイマＴが計時する時間とタイマＴが計時する時間に対応する補正率Ｘとを記憶する他のデータテーブルＤＴＡと、を含んでいてもよい。この場合、照明制御装置１２は、累積点灯時間に応じて、補正率Ｘによって補正された発光態様を特定する制御信号を前述のいずれか１つの照明器具１３−ｍに送信してもよい。
【０１００】
上記の構成によれば、複数の照明器具１３−ｍの経年劣化に起因した出力低下を照明制御装置１２の一括操作により補正することができる。
【符号の説明】
【０１０１】
１１  明るさセンサ
１２  照明制御装置
１３−ｍ（ｍ＝１、２・・・ｎ：ｎは自然数）  照明器具
１３１  受信部
１３２  発光制御部
１３３  送信部
１３４  光源駆動部
１３５  光源
Ｔ  タイマ
ＤＴ１，ＤＴ２，ＤＴ３，ＤＴＡ  データテーブル
【図１】
2018097933.tif 000003
【図２】
2018097933.tif 000004
【図３】
2018097933.tif 000005
【図４】
2018097933.tif 000006
【図５】
2018097933.tif 000007
【図６】
2018097933.tif 000008
【図７】
2018097933.tif 000009
【図８】
2018097933.tif 000010
【図９】
2018097933.tif 000011
【図１０】
2018097933.tif 000012
【図１１】
2018097933.tif 000013